(57)【特許請求の範囲】
【請求項１】
光源と、前記光源を実装した実装基板と、前記光源を点灯させる電源装置と、前記電源装置を内部に収容する器具本体とを備え、
前記光源と前記電源装置とは、前記器具本体内に第１方向に沿って並べられて収容されており、
前記電源装置は、前記光源に点灯電力を供給する電源回路が形成された平板状のプリント基板を有し、
前記プリント基板は、前記第１方向に対して交差する第２方向に沿って立てられた状態で配置され、
前記実装基板は、前記光源が実装された主面が前記第２方向に対向するように、前記器具本体に配置されており、
前記器具本体には、前記器具本体の内部と外部とを連通する通気孔が２つ以上形成されており、
前記実装基板における前記光源とは反対側に、複数の板状の放熱部を有する放熱部材が配置されており、前記複数の板状の放熱部は、前記第１方向に沿って配置されると共に前記放熱部の厚さ方向に間隔を空けて並べられており、前記プリント基板は、前記プリント基板の主面が前記複数の板状の放熱部が沿う前記第１方向を向くように配置されていることを特徴とする照明器具。
【請求項２】
前記通気孔は、前記器具本体において、前記第２方向の第１端と前記第２方向の第２端とのそれぞれに少なくとも１つ以上形成されていることを特徴とする請求項１記載の照明器具。
【請求項３】
前記通気孔のうち少なくとも１つは、前記第２方向から見て、前記電源装置と前記光源とに挟まれた位置に形成されていることを特徴とする請求項１又は請求項２記載の照明器具。
【発明の詳細な説明】
【技術分野】
【０００１】
本発明は、照明器具に関し、より詳細には電源装置を器具本体の内部に収容した照明器具に関する。
【背景技術】
【０００２】
従来、発光ダイオード（ＬＥＤ）を光源とし、所定の広い範囲に照射光を照射する照明器具、例えば防犯灯が知られている。例えば、特許文献１には、基板ベース部とＬＥＤ基板とを備えた照明器具が記載されている。基板ベース部の底面には、ＬＥＤ基板を取り付ける取付面が設けられている。基板ベース部の上面は、器具本体の天面を構成している。基板ベース部の取付面には、ＬＥＤ基板が裏面全体に密着させた状態で取り付けられている。したがって、ＬＥＤが発する熱はＬＥＤ基板及び取付面を通じて天面に伝わり外気に放熱される。また、天面には、アーム本体が一体成型して設けられている。アーム本体の中には、電源装置が収められている。電源装置は、商用電力を直流電力に変換してＬＥＤの点灯電力を生成する電源回路を備えている。
【先行技術文献】
【特許文献】
【０００３】
【特許文献１】特開２０１４−７２１０６号公報
【発明の概要】
【発明が解決しようとする課題】
【０００４】
特許文献１記載の照明器具では、基板ベース部は、少なくとも取付面の熱を天面に伝達可能な高熱伝導性を有する、例えばアルミダイカストで構成されている。これにより、基板ベース部は、ＬＥＤ基板から直接熱を伝導して、天面を介し、照明器具の外部に放熱する。しかし、アルミダイカスト製の基板ベース部を製造する場合、金型等を用意する必要がある。よって、特許文献１記載の照明器具の構成では、基板ベース部の製造コストが増加してしまう。
【０００５】
本発明の目的は、放熱性を向上しつつコストダウンを図ることができる照明器具を提供することである。
【課題を解決するための手段】
【０００６】
本発明の一態様に係る照明器具は、光源と、前記光源を実装した実装基板と、前記光源を点灯させる電源装置と、前記電源装置を内部に収容する器具本体とを備えている。前記光源と前記電源装置とは、前記器具本体内に第１方向に沿って並べられて収容されている。前記電源装置は、前記光源に点灯電力を供給する電源回路が形成された平板状のプリント基板を有している。前記プリント基板は、前記第１方向に対して交差する第２方向に沿って立てられた状態で配置されている。前記実装基板は、前記光源が実装された主面が前記第２方向に対向するように、前記器具本体に配置されている。前記器具本体には、前記器具本体の内部と外部とを連通する通気孔が２つ以上形成されている。前記実装基板における前記光源とは反対側に、複数の板状の放熱部を有する放熱部材が配置され、前記複数の板状の放熱部は、前記第１方向に沿って配置されると共に前記放熱部の厚さ方向に間隔を空けて並べられている。前記プリント基板は、前記プリント基板の主面が前記複数の板状の放熱部が沿う前記第１方向を向くように配置されている。
【発明の効果】
【０００７】
本発明によれば、放熱性を向上しつつコストダウンを図ることができる照明器具を提供することができる。
【図面の簡単な説明】
【０００８】
【図１】図１は本発明の一実施形態に係る照明器具の一部を省略した断面斜視図である。
【図２】図２は同上の照明器具の下方から見た斜視図である。
【図３】図３は同上の照明器具の上方から見た斜視図である。
【図４】図４は同上の照明器具の要部の断面図である。
【図５】図５は同上の照明器具の電源装置の斜視図である。
【発明を実施するための形態】
【０００９】
以下、本発明の一実施形態に係る照明器具について、図面を参照して詳細に説明する。
【００１０】
なお、以下の実施形態で説明する構成は本発明の一例に過ぎない。本発明は、以下の実施形態に限定されず、本発明に係る技術思想を逸脱しない範囲であれば、設計等に応じて種々の変更が可能である。また、以下の説明では特に断りがない限り、図１に示す向きにおいて照明器具１の上下左右前後の方向を規定する。
【００１１】
照明器具１は、図１及び図２に示すように、複数（図示例では４つ）の光源ユニット３を備えている。照明器具１は、光源ユニット３の光源３１０を点灯させる電源装置５を備えている（図４参照）。
【００１２】
各光源ユニット３は、ＬＥＤモジュール３１と、放熱部材３２とを有する（図４参照）。各光源ユニット３は、レンズブロック３３と、熱伝導シート３４とを有する。また、各光源ユニット３は、カバー３５を有する。
【００１３】
ＬＥＤモジュール３１は、複数個の光源３１０を有する（図４参照）。光源３１０は、発光ダイオード（ＬＥＤ）で構成されていることが好ましい。ＬＥＤは、従来公知であるパッケージ型の白色ＬＥＤで構成されていることが好ましい。また、ＬＥＤモジュール３１は、実装基板３１１を有する。実装基板３１１は、短形平板状のアルミ基板で形成されている。実装基板３１１の下面には、光源３１０が縦横に並べられて実装されている。また、実装基板３１１の下面には、レセプタクルコネクタ（図示しない）が実装されている。レセプタクルコネクタは、実装基板３１１の下面に形成された配線用の導体（図示せず）を介して、各光源３１０の電極（カソード及びアノード）と電気的に接続されている。
【００１４】
熱伝導シート３４は、図４に示すように、実装基板３１１の上面に接触した状態で配置されている。熱伝導シート３４は、電気絶縁性と熱伝導性に優れた材料、例えばシリコーン樹脂により、矩形のシート状に形成されていることが好ましい。
【００１５】
レンズブロック３３は、図４に示すように、ＬＥＤモジュール３１の下方に配置されている。レンズブロック３３は、ブロック本体３３０と複数のレンズ３３１とを有している。ブロック本体３３０とレンズ３３１とは、アクリル樹脂などの透光性を有する合成樹脂材料により、一体に形成されていることが好ましい。ブロック本体３３０は、平板状に形成されている。各レンズ３３１は、ＬＥＤモジュール３１の各光源３１０と一対一に対応する位置に設けられる。
【００１６】
放熱部材３２は、図４に示すように熱伝導シート３４の上面と接触した状態で配置されている。放熱部材３２は、ベース部３２１と、ベース部３２１の上面に設けられた複数の放熱部３２３を有する（図１参照）。なお、ベース部３２１と複数の放熱部３２３とは、例えばアルミニウム合金等の熱伝導性に優れた材料で一体に形成されていることが好ましい。ベース部３２１は、平板状に形成されている。ベース部３２１には、上下方向に貫通するケーブル挿通孔（図示しない）が形成されている。ケーブル挿通孔には、ケーブルグランド（図示しない）が下方から取り付けられている。そして、ケーブル挿通孔には、ケーブルグランドを介して、ＬＥＤモジュール３１に給電をするための給電ケーブル３２４が挿通されている。また、ベース部３２１の下面には、ブロック本体３３０、実装基板３１１及び熱伝導シート３４がねじ止めされている。これにより、レンズブロック３３、実装基板３１１及び熱伝導シート３４は、放熱部材３２に取り付けられる。
【００１７】
各カバー３５は、カバー本体３５０と、外鍔部３５１とを有する（図４参照）。カバー本体３５０と外鍔部３５１とは、例えばポリカーボネート樹脂等の透光性を有する合成樹脂により一体に形成されている。カバー本体３５０は、上面が開口した有底角筒状に形成されている。外鍔部３５１は、カバー本体３５０の上端から外側に延びる矩形の枠状に形成されている。外鍔部３５１は、取付ねじ３７によって、ベース部３２１の下面にねじ止めされている。これにより、各カバー３５は、各放熱部材３２に取り付けられている。なお、外鍔部３５１の外部には、防水パッキン１９が取り付けられていることが好ましい（図４参照）。これにより、防水パッキン１９により、外鍔部３５１とベース部３２１との間の隙間が埋められる。よって、カバー３５の内部への雨水の浸入が防止される。なお、４つの光源ユニット３は、後述するように、前後方向及び左右方向に各々２列ずつに並べて、器具本体１０に取り付けられている。４つの光源ユニット３のうち、右側に配置された２つの光源ユニットを、右光源ユニット３ａと呼び、左側に配置された２つの光源ユニットを、左光源ユニット３ｂと呼ぶ（図３参照）。
【００１８】
２つの左光源ユニット３ｂの左右方向の両側には、一対の連結フレーム１７が配置されている（図１参照）。一対の連結フレーム１７は、前後方向に延びる板金で形成されている。一対の連結フレーム１７は、２つの左光源ユニット３ｂの左右方向の両端にねじ止めされている。これにより、一対の連結フレーム１７を介して、２つの左光源ユニット３ｂ同士が連結されている。また、２つの右光源ユニット３ａの左右方向の両側には、一対の連結フレーム１８が配置されている（図１参照）。一対の連結フレーム１８は、前後方向に延びる板金で形成されている。一対の連結フレーム１８は、２つの右光源ユニット３ａの左右方向の前端にねじ止めされている。これにより、一対の連結フレーム１８を介して、２つの右光源ユニット３ａ同士が連結されている。
【００１９】
器具本体１０において、２つの右光源ユニット３ａの右側に、電源装置５が配置されている（図１参照）。電源装置５は、２つの右光源ユニット３ａに対して、左右方向に所定の間隔を空けて配置されている。また、電源装置５は、２つの電源ユニット５１と、各電源ユニット５１を収容するケース５２とを有する（図４参照）。各電源ユニット５１は、プリント基板５１１を有する。プリント基板５１１は、例えば矩形状のガラス布基材エポキシ樹脂基板等で形成されることが好ましい。なお、各電源ユニット５１の電源回路は、回路部品５５２と、プリント基板５１１に形成されている導体とで構成されたプリント回路からなる。そして、電源回路は、外部から入力される交流電力を直流電力に電力変換するように構成されている。各電源ユニット５１には、給電ケーブル３２４が電気的に接続されている。
【００２０】
ケース５２は、ケース本体５２０と、蓋部５４０とを有することが好ましい（図５参照）。ケース本体５２０は、例えばアルミ又はアルミ合金が押出成形されることにより、軸方向の両端が開口した角筒状に形成されていることが好ましい。ケース本体５２０は、４つの側壁５２１を有する。なお、側壁５２１について、上側に位置する側壁を上側壁５２２と呼び、下側に位置する側壁を下側壁５２３と呼ぶ。また、側壁５２１について、右側に位置する側壁を右側壁５２４と呼び、左側に位置する側壁を左側壁５２５と呼ぶ。なお、側壁５２１は、平板状に形成されている。
【００２１】
また、上側壁５２２の下面の左右方向の両端部には、上側溝部５２６がそれぞれ形成されている（図４参照）。２つの上側溝部５２６は、ケース本体５２０の前側の開口端（挿入口）から後側の開口端まで、真っ直ぐ、かつ、互いに平行になるように構成されていることが好ましい。なお、上側溝部５２６は、左右方向の幅が、プリント基板５１１の厚みよりも僅かに大きい程度に形成されていることが好ましい。下側壁５２３の上面の左右方向の両端部には、上側溝部５２６と上下方向に対向する位置に、下側溝部５２７がそれぞれ形成されている。２つの下側溝部５２７は、ケース本体５２０の前側の開口端（挿入口）から後側の開口端まで、真っ直ぐ、かつ、互いに平行になるように構成されていることが好ましい。なお、下側溝部５２７は、左右方向の長さが上側溝部５２６と同じになるように形成されている。電源ユニット５１では、上下方向に対向する上側溝部５２６及び下側溝部５２７に沿って、２枚のプリント基板５１１をケース５２に進入させている。これにより、プリント基板５１１の上下方向の両端が、ケース５２の上側壁５２２と下側壁５２３とに支持されている。すなわち、２枚のプリント基板５１１は、上下方向（第１方向に対して交差する第２方向）に沿って、立てられた状態で配置されている。左側壁５２５の前端の位置に、左右方向に貫通する４つの挿通孔（図示しない）が形成されている。４つの挿通孔には、左方から防水用のケーブルグランド５３１がそれぞれ挿通されている。各防水用のケーブルグランド５３１には、図５に示すように、給電ケーブル３２４が挿通されている。これにより、４つの挿通孔と各給電ケーブル３２４との隙間からケース本体５２０内部への雨水の浸入が防止される。
【００２２】
蓋部５４０は、前側蓋部５４１と、後側蓋部５４２とを有する。前側蓋部５４１及び後側蓋部５４２は、例えばアルミダイカストにより平板状に形成されていることが好ましい。前側蓋部５４１及び後側蓋部５４２は、ケース本体５２０の前後方向の両端に、それぞれねじ止めされることにより、ケース本体５２０の前後方向の両端の開口を閉塞するように構成されていることが好ましい（図５参照）。また、前側蓋部５４１及び後側蓋部５４２と、ケース本体５２０の前後方向の両端との間には、防水パッキン（図示しない）がそれぞれ挟み込まれていることが好ましい。これにより、ケース本体５２０内部への雨水の浸入が防止される。後側蓋部５４２には、前後方向に貫通するケーブル挿通孔５４５が形成されている（図４参照）。ケーブル挿通孔５４５には、後方から防水用のケーブルグランド５４６が挿通されている。そして、ケーブルグランド５４６を介して、ケース５２の外部から内部に、電源ケーブル５５が挿通されている。電源ケーブル５５の第１端は、ケース５２内部の２枚のプリント基板５１１と電気的にそれぞれ接続されている。
【００２３】
電源装置５のケース５２には、一対の固定部材４が固定されている（図５参照）。一対の固定部材４は、左右方向に沿って並べられて配置されている。なお、一対の固定部材４のうちで、右側に位置する固定部材を右固定部材４ａと呼び、左側に位置する固定部材を左固定部材４ｂと呼ぶ。
【００２４】
一対の固定部材４は、前後方向に延びる渡し片４１と、渡し片４１の前後方向の両端から下方に延びる連結片４２と、連結片４２の下端から前後方向の外側に延びる被固定片４３とを有する。また、一対の固定部材４は、渡し片４１の左右方向の外端から下方に曲げられて形成された取付片４４を有する。渡し片４１、連結片４２、被固定片４３及び取付片４４は、板金により一体に形成されている。被固定片４３には、上下方向に貫通する挿通孔４３１が形成されている。取付片４４には、前後方向の両端の位置に、左右方向に貫通する一対の挿通孔４４１が形成されている（図４参照）。そして、左方から左固定部材４ｂの一対の挿通孔４４１に挿通されたねじ６３が、左側壁５２５にねじ止めされている。これにより、左固定部材４ｂがケース５２に固定されている。また、右固定部材４ａも、左固定部材４ｂと同様に、ねじによりケース５２に固定されている。よって、一対の固定部材４は、電源装置５に固定されている。
【００２５】
器具本体１０は、底板１１と、一対の側板１２と、天板１３と、枠体１４とを有している（図１及び図３参照）。
【００２６】
電源装置５の右方には、枠体１４が配置されている。枠体１４は、上方から見てＵ字型に形成されている。枠体１４は、前後方向に延びる被固定部１４ａを有する。枠体１４は、被固定部１４ａの前後方向の両端から２つの左光源ユニット３ｂの前後方向の両側に向けて延びる一対の腕部１４ｂを有する（図１参照）。また、枠体１４は、一対の腕部１４ｂの右端の上端から前後方向の内側に折り曲げられた固定片（図示しない）を有する。被固定部１４ａ、腕部１４ｂ及び固定片は、一対に形成されていることが好ましい。なお、枠体１４は、金属材料例えばアルミダイカストにより形成されていることが好ましい。
【００２７】
一対の腕部１４ｂのうち、前側の腕部１４ｂの後側には、２つの左光源ユニット３ｂのうち前側の左光源ユニット３ｂと、２つの右光源ユニット３ａのうち前側の右光源ユニット３ａとがねじ止めされている。また、一対の腕部１４ｂのうち、後側の腕部１４ｂの前側には、２つの左光源ユニット３ｂのうち後側の左光源ユニット３ｂと、２つの右光源ユニット３ａのうち後側の右光源ユニット３ａとがねじ止めされている。これにより、枠体１４の一対の腕部１４ｂの前後方向の内側に４つの光源ユニット３が固定されている。また、各腕部１４ｂには、各腕部１４ｂの前後方向の外側に配置された後述する底板１１の一対の取付片が、それぞれねじ止めされている。これにより、枠体１４に底板１１が固定されている。また、上方から、一対の固定部材４の挿通孔４３１に挿通されたねじ６２が、各腕部１４ｂの各固定片にそれぞれねじ止めされている。これにより、一対の固定部材４を介して、枠体１４に電源装置５が固定されている。よって、４つの光源ユニット３の各光源３１０と電源装置５とは、器具本体１０内に左右方向（第１方向）に沿って並べられて収容されている。
【００２８】
また、枠体１４の被固定部１４ａには、左右方向に貫通するケーブル挿通穴（図示しない）が形成されている（図３参照）。被固定部１４ａの右端には、ケーブル挿通穴の外側の位置に、照明器具１をポール２の上端に取り付けるためのアーム７が取り付けられている。照明器具１は、アーム７を介して、上下方向に延びる円筒状のポール２の先端（上端）に取り付けられている（図２参照）。
【００２９】
アーム７は、ポール２の先端に取り付けられた円筒状の被取付部７１と、被取付部７１の左端から左方に延びる角筒状の固定部７２と、枠体１４にねじ止めされるねじ止め片７３を有する（図２参照）。ねじ止め片７３は、被固定部１４ａのケーブル挿通穴から外側に延びる矩形枠状に形成されている。ねじ止め片７３は、被固定部１４ａにねじ止めされている。これにより、枠体１４にアーム７が固定されている。なお、アーム７は、被取付部７１の内部の空間と固定部７２の内部の空間とが連通するように構成されている。アーム７の内部には、被固定部１４ａのケーブル挿通穴から挿通された電源ケーブル５５が配置されている。電源ケーブル５５の第２端は、アーム７の内部及びポール２の内部を介して、商用電源（図示しない）に電気的に接続されている。これにより、電源装置５は、電源ケーブル５５を介して、商用電源と電気的に接続されている。
【００３０】
また、器具本体１０は、底板１１の一対の取付片の前後方向の外側に配置された一対の側板１２を有する（図３参照）。一対の側板１２は、左右方向に延びる板金で形成されていることが好ましい。一対の側板１２は、上下方向に延びる被固定片１２０を有する。一対の側板１２は、各被固定片１２０の上端から枠体１４の各固定片に向けて延びる固定片１２１を有する。被固定片１２０と固定片１２１とは一体に形成されている。各被固定片１２０は、底板１１の一対の取付片の前後方向の外側にそれぞれねじ止めされている。
【００３１】
底板１１は、左右方向に延びる底板本体１１０と、底板本体１１０の前後方向の両端から上方に延びる一対の取付片（図示しない）とを有している（図２参照）。また、底板１１は、底板本体１１０の左端から右上に延びる傾斜片１１２を有している。なお、底板本体１１０、一対の取付片及び傾斜片１１２は、金属板により一体に形成されている。
【００３２】
底板本体１１０の左端には、上下方向に貫通する複数の貫通長孔１１３が形成されている（図２参照）。複数の貫通長孔１１３は、前後方向に延びるスリット状に形成されている。複数の貫通長孔１１３は、左右方向に沿って連続して形成されている。複数の貫通長孔１１３は、前後方向に２列に並んで形成されている。また、複数の貫通長孔１１３は、前後方向に２列に並んで形成されている。底板本体１１０には、左光源ユニット３ｂに対応する位置に、上下方向に貫通する一対の左側取付穴１１４が形成されている。一対の左側取付穴１１４は、四角形状に形成されている。なお、一対の左側取付穴１１４は、左右方向及び前後方向の寸法がカバー本体３５０の左右方向及び前後方向の寸法よりも僅かに大きくなるように形成されている。一対の左側取付穴１１４には、上方から左光源ユニット３ｂがそれぞれ嵌め込まれている。
【００３３】
底板本体１１０には、一対の左側取付穴１１４の右側の位置に、上下方向に貫通する複数の貫通長孔１１５が形成されている。また、複数の貫通長孔１１５は、前後方向に延びるスリット状に形成されている。複数の貫通長孔１１５は、左右方向に沿って連続して形成されている。複数の貫通長孔１１５は、前後方向に２列に並んで形成されている。底板本体１１０には、２つの右光源ユニット３ａに対応する位置に、上下方向に貫通する一対の右側取付穴１１６がそれぞれ形成されている。一対の右側取付穴１１６は、四角形状に形成されている。なお、一対の右側取付穴１１６は、一対の左側取付穴１１４と同じ大きさになるように形成されている。一対の右側取付穴１１６には、上方から、右光源ユニット３ａがそれぞれ嵌め込まれている。
【００３４】
底板本体１１０には、上方から見て、２つの右光源ユニット３ａと電源装置５との間の位置に、上下方向に貫通する複数の通気孔１１７が形成されている。複数の通気孔１１７は、前後方向に延びるスリット状に形成されている。複数の通気孔１１７は、左右方向に沿って連続して形成されている。また、複数の通気孔１１７は、前後方向に２列に並んで形成されている。また、底板本体１１０の右端には、上下方向に貫通する複数の通気孔１１８が形成されている。複数の通気孔１１８は、前後方向に延びるスリット状に形成されている。複数の通気孔１１８は、左右方向に沿って連続して形成されている。複数の通気孔１１８は、前後方向に沿って２列に並んで形成されている。
【００３５】
枠体１４の上端には、一対の固定部材４の前後方向の外側の位置に、天板１３が固定されている。天板１３は、天板本体１３０と、天板本体１３０の前後方向の両端から下方に延びる一対の連結片１３１を有している（図３参照）。天板１３は、一対の連結片１３１の下端から枠体１４の固定片に向けて延びる一対の被固定片１３２を有している。また、天板１３は、一対の連結片１３１の右端同士を連結する右片１３５を有する。天板１３は、左右方向に延びる板金で形成されている。また、天板本体１３０、一対の連結片１３１、一対の被固定片１３２及び右片１３５は、一体に形成されていることが好ましい。なお、天板本体１３０は、左右方向の両端部が、通気孔１１７及び通気孔１１８の上方をそれぞれ覆う程度の大きさに形成されている。また、天板本体１３０の上面には、少なくとも複数の通気孔１１７及び複数の通気孔１１８に対向する位置に、上下方向に貫通する複数の通気孔１３３が形成されている。また、複数の通気孔１３３は、前後方向に延びるスリット状に形成されている。複数の通気孔１３３は、左右方向に連続して形成されている。複数の通気孔１３３は、前後方向に２列に並んで形成されている。また、上方から一対の被固定片１３２と一対の側板１２の固定片１２１とに挿通されたねじが、枠体１４の各固定片にねじ止めされている。これにより、天板１３とは、枠体１４に固定されている。
【００３６】
照明器具１では、電源装置５は、電源ケーブル５５を介して、外部の商用電源から交流電力を供給される。そして、電源装置５は、給電ケーブル３２４を介して、４つの光源ユニット３の光源３１０に給電する。これにより、光源３１０は点灯する。なお、照明器具１では、電源装置５は、２つの電源ユニット５１を有している。各電源ユニット５１は、２つの光源ユニット３に対して給電する。よって、４つの光源ユニット３に対して１つの電源ユニットが給電する場合に比べて、１つ当たりの電源ユニット５１にかかる負荷を軽減することができる。２つの電源ユニット５１を有する電源装置５では、各電源ユニット５１は、プリント基板５１１を１枚ずつ有している。すなわち、電源装置５は、２枚のプリント基板５１１を有している。また、各プリント基板５１１には、回路部品５５２の一部としてスイッチング素子が実装されている。そして、電源装置５の光源３１０への給電に伴い、スイッチング素子が発熱して、ケース本体５２０の内部の空気が温められる。温められた空気は、ケース本体５２０内部の上側に上昇する。そして、温められた空気が、ケース本体５２０の内壁に接触した際に、熱がケース本体５２０を介して、電源装置５の外部に放熱される。
【００３７】
ここで、電源装置のケース内部において、２枚のプリント基板が上下方向に重ねられた状態で配置された場合に、上側のプリント基板の周辺の空気は、下側から上昇した空気によっても温められる。これにより、下側に配置されたプリント基板に比べて、上側に配置されたプリント基板の周辺の空気が高温になる。よって、上側に配置されたプリント基板では、実装された回路部品で許容温度が超過してしまうおそれがあった。したがって、回路部品で寿命の低下等の不具合が発生してしまうおそれがあった。
【００３８】
これに対して、照明器具１では、２枚のプリント基板５１１が上下方向に沿って立てられた状態で配置されている。すなわち、ケース５２の内部では、上下方向に２枚のプリント基板５１１同士が重ならずに配置されている。これにより、電源装置５で熱が発生した場合に、温められて上昇した空気が他のプリント基板５１１に接触することが低減できる。したがって、２枚のプリント基板が上下方向に重ねられて配置された場合に比べて、回路部品５５２の温度上昇を抑えることができる。よって、プリント基板５１１では、回路部品５５２の許容温度が超過してしまうことを低減することができる。したがって、回路部品５５２で寿命の低下等の不具合の発生を低減することができる。
【００３９】
また、電源装置５の光源３１０への給電に伴い、プリント基板５１１で発生した熱が、ケース５２に伝達される。ケース５２は、ケース本体５２０の外部の空気、すなわち、器具本体１０内部の空気により冷却される。そして、ケース５２の冷却に伴い、器具本体１０内部の空気が温められる。これに対して、照明器具１では、器具本体１０には、器具本体１０の内部と外部とを連通する通気孔１１７及び通気孔１３３が形成されている。これにより、電源装置５で温められた空気が、通気孔１１７及び通気孔１３３のうちどちらか一方（図１では通気孔１３３）から、器具本体１０の外部に排出される。よって、温められた空気の排出に伴い、電源装置５で発生した熱が器具本体１０の内部から外部に放熱される。また、器具本体１０の内部から空気が流出すると、通気孔１１７及び通気孔１３３のうちどちらか他方（図１では通気孔１１７）から、器具本体１０の外部の空気が器具本体１０の内部に流入する。これにより、器具本体１０の内部では、図１に示すように通気孔１１７から通気孔１３３に向かう空気の流路８０１が構成される。したがって、空気の流路８０１に沿って流れる空気により電源装置５が効率よく冷却される。よって、照明器具１では、アルミダイカスト製の基板ベース部を用いることなく、効率的に電源装置５を冷却することができる。これにより、アルミダイカスト製の基板ベース部を製造する必要が無く、金型等を用意する必要も無い。したがって、アルミダイカスト製の基板ベース部を用いた特許文献１の照明器具に比べて、金型等の分の製造コストを低減することができる。よって、放熱性を向上しつつコストダウンを図ることができる照明器具を提供することができる。
【００４０】
また、照明器具１では、天板本体１３０、すなわち、器具本体１０の上面に通気孔１３３が形成されている。これにより、温められて上昇した空気を、流路８０１を介して、通気孔１３３から排出することができる。よって、電源装置５で発生した熱を効率よく放熱することができる。また、通気孔１３３から空気が排出される際に、器具本体１０の内部では、下方から上方に向けて空気の流れが生じる。これに対して、照明器具１では、底板本体１１０、すなわち、器具本体１０の下面に通気孔１１７が形成されている。これにより、流路８０１は、器具本体１０を上下方向に貫通するように構成されている。よって、器具本体１０の内部の空気の流路８０１に沿って、器具本体１０外部の空気を下方から器具本体１０の内部に流入することができる。したがって、電源装置５を効率よく冷却させることができる。これにより、照明器具１の放熱性を向上させることができる。
【００４１】
また、光源３１０の点灯に伴い、光源３１０が発熱する。光源３１０で発生した熱は、熱伝導シート３４等を介して、放熱部材３２に伝達される。そして、放熱部材３２により放熱部材３２の周辺の空気が温められる。
【００４２】
これに対して、照明器具１では、上下方向から見て、電源装置５と光源３１０とに挟まれた位置に通気孔１３３が形成されている。これにより、電源装置５で温められた空気と光源３１０で温められた空気との両方を、通気孔１３３から排出することができる。よって、上下方向から見て、電源装置５と光源３１０との間に通気孔１３３が形成されていない場合に比べて、照明器具１の放熱性を更に向上させることができる。
【００４３】
また、照明器具１では、上下方向から見て、電源装置５と光源３１０とに挟まれた位置に通気孔１１７が形成されている。これにより、通気孔１１７を介して、器具本体１０の外部から内部に流入した空気により電源装置５と放熱部材３２との両方を冷却することができる。したがって、上下方向から見て、電源装置５と光源ユニット３との間に通気孔１１７が形成されていない場合に比べて、照明器具１の放熱性を更に向上させることができる。
【００４４】
また、照明器具１では、底板本体１１０の右端には、通気孔１３３と対向する位置に、通気孔１１８が形成されている。これにより、通気孔１１７を介して、器具本体１０の外部の空気を器具本体１０の内部に流入させることができる。
【００４５】
なお、複数の通気孔１１７及び複数の通気孔１３３の形状は、スリット状に限定されず、例えば孔状や、四角状等、所定の形状に形成してもよい。また、通気孔として、複数の通気孔１１７及び複数の通気孔１３３を例示したが、通気孔の個数は複数個に限定されず、１個以上形成されていればよい。また、器具本体１０において、底板本体１１０に形成された複数の通気孔１１７と、天板本体１３０に形成された複数の通気孔１３３とを例示したが、これに限定されない。例えば各通気孔を一対の側板１２のそれぞれに形成してもよい。上下方向から見て、電源装置５と光源３１０とに挟まれた位置に、形成された通気孔１１７及び通気孔１３３を例示したが、これに限定されない。例えば通気孔１１７及び通気孔１３３のうちどちらか１つだけを、上下方向から見て、プリント基板５１１と光源３１０とに挟まれた位置に形成してもよい。
【００４６】
上述のように実施形態に係る照明器具１は、光源３１０と、光源３１０を点灯させる電源装置５と、電源装置５を内部に収容する器具本体１０とを備えている。光源３１０と電源装置５とは、前記器具本体内に第１方向に沿って並べられて収容されている。電源装置５は、光源３１０に点灯電力を供給する電源回路が形成された平板状のプリント基板５１１を有している。プリント基板５１１は、第１方向に対して交差する第２方向に沿って立てられた状態で配置されている。器具本体１０には、器具本体１０の内部と外部とを連通する通気孔１１７，１３３が２つ以上形成されている。
【００４７】
実施形態に係る照明器具１が上述のように構成されているので、電源装置５で熱が発生した場合に、温められて上昇した空気が他のプリント基板５１１に接触することが低減できる。したがって、２枚のプリント基板が上下方向に重ねられて配置された場合に比べて、回路部品５５２の温度上昇を抑えることができる。よって、プリント基板５１１では、回路部品５５２の許容温度が超過してしまうことを低減することができる。したがって、回路部品５５２で寿命の低下等の不具合の発生を低減することができる。
【００４８】
また、電源装置５で温められた空気が、通気孔１１７及び通気孔１３３のうちどちらか一方（図１では通気孔１３３）から、器具本体１０の外部に排出される。よって、温められた空気の排出に伴い、電源装置５で発生した熱が器具本体１０の内部から外部に放熱される。また、器具本体１０の内部から空気が流出すると、通気孔１１７及び通気孔１３３のうちどちらか他方（図１では通気孔１１７）から、器具本体１０の外部の空気が器具本体１０の内部に流入する。これにより、器具本体１０の内部では、図１に示すように通気孔１１７から通気孔１３３に向かう空気の流路８０１が構成される。したがって、空気の流路８０１に沿って流れる空気により電源装置５が効率よく冷却される。よって、照明器具１では、アルミダイカスト製の基板ベース部を用いることなく、効率的に電源装置５を冷却することができる。これにより、アルミダイカスト製の基板ベース部を製造する必要が無く、金型等を用意する必要も無い。したがって、アルミダイカスト製の基板ベース部を用いた特許文献１の照明器具に比べて、金型等の分の製造コストを低減することができる。よって、放熱性を向上しつつコストダウンを図ることができる照明器具を提供することができる。
【００４９】
実施形態に係る照明器具１において、通気孔１１７，１３３は、器具本体１０において、第２方向の第１端と第２方向の第２端とのそれぞれに少なくとも１つ以上形成されている。
【００５０】
実施形態に係る照明器具１が上述のように構成されれば、温められて上昇した空気を、流路８０１を介して、通気孔１３３から排出することができる。よって、電源装置５で発生した熱を効率よく放熱することができる。また、器具本体１０の内部の空気の流路８０１に沿って、器具本体１０外部の空気を下方から器具本体１０の内部に流入することができる。したがって、電源装置５を効率よく冷却させることができる。これにより、照明器具１の放熱性を向上させることができる。
【００５１】
実施形態に係る照明器具１において、通気孔１１７，１３３のうち少なくとも１つは、第２方向から見て、電源装置５と光源３１０とに挟まれた位置に形成されている。
【００５２】
実施形態に係る照明器具１が上述のように構成されれば、電源装置５で温められた空気と光源３１０で温められた空気との両方を、通気孔１３３から排出することができる。よって、上下方向から見て、電源装置５と光源３１０との間に通気孔１３３が形成されていない場合に比べて、照明器具１の放熱性を更に向上させることができる。
【００５３】
また、通気孔１１７を介して、器具本体１０の外部から内部に流入した空気により電源装置５と放熱部材３２との両方を冷却することができる。したがって、上下方向から見て、電源装置５と光源ユニット３との間に通気孔１１７が形成されていない場合に比べて、照明器具１の放熱性を更に向上させることができる。
【符号の説明】
【００５４】
１  照明器具
５  電源装置
１０  器具本体
１１７  通気孔
１３３  通気孔
３１０  光源
５１１  プリント基板
【図１】
0006793324.tif 000002
【図２】
0006793324.tif 000003
【図３】
0006793324.tif 000004
【図４】
0006793324.tif 000005
【図５】
0006793324.tif 000006